(57)【要約】【課題】粉体物質、特に薬用上の粉体物質に用いられる吸入器を発展させる。【解決手段】粉体物質、特に薬用上の粉体物質に用いられる吸入器（１）であって、マウスピース（３）に通じる吸引気流路（１２）と、粉体物質（１０）のための収納室（１１）と、収納室（１１）から一回の服用量（１０’）の粉体物質を配分し、その一回の服用量（１０’）を移行点に運び、吸引気流（Ｓ）に移すための、直線方向に動く服用室（２６）とを有する吸入器。特に、服用室を、収納室から配分された一回の服用量の粉体物質で充填し、前記服用室（２６）が直線方向の動きに重ねて回転する動きが可能で、かつその回転軸（ｘ）に対し偏心して配置されていることを特徴とする吸入器。【選択図】図２
2008510543.tif 000002
【特許請求の範囲】
【請求項１】
粉体物質、特に薬用上の粉体物質に用いられる吸入器（１）であって、
マウスピース（３）に通じる吸引気流路（１２）と、
粉体物質（１０）のための収納室（１１）と、
収納室（１１）から一回の服用量（１０’）の粉体物質を配分し、その一回の服用量（１０’）を移行点に運び、吸引気流（Ｓ）に移すための、直線方向に動く服用室（２６）とを有し、
前記服用室（２６）が直線方向の動きに重ねて回転する動きをし、かつその回転軸（ｘ）に対し偏心して配置されていることを特徴とする吸入器。
【請求項２】
前記服用室（２６）が、平坦部分として形成されたプランジャ式スライド（２５）中に形成されることを特徴とする請求項１に記載の吸入器。
【請求項３】
前記プランジャ式スライド（２５）が、前記収納室（１１）の外側で、前記プランジャ式スライド（２５）に対し移動可能な閉鎖プランジャ（５２）と相互作用することを特徴とする請求項２に記載の吸入器。
【請求項４】
前記閉鎖プランジャ（５２）が、減圧された吸引気流に依存して前記服用室（２６）を開放状態とする位置に移動することが可能であることを特徴とする請求項３に記載の吸入器。
【請求項５】
前記吸引気流路（１２）が、前記服用室（２６）の上方で径方向外向きに逸れていることを特徴とする請求項１から４のいずれかに記載の吸入器。
【請求項６】
前記吸引気流路（１２）が、前記プランジャ式スライド（２５）自体によって逸れることを特徴とする請求項５に記載の吸入器。
【発明の詳細な説明】
【技術分野】
【０００１】
本発明は、粉体、特に薬用上の粉体物質に用いられる吸入器であって、マウスピースに通じる吸引気流路を有し、粉体物質のための収納室も有し、収納室から一回の服用量の粉体物質を配分し、その一回の服用量を移行点に運び、吸引気流に移すための、直線方向に動く服用室を有する。
【背景技術】
【０００２】
このタイプの吸入器はＤＥ１４４５７２Ａ１に記載されている。この特許出願に記載された事項は本発明の特許請求の範囲にその特徴を盛り込む目的で、すべて本発明の開示に盛り込む。
【特許文献１】ＤＥ１４４５７２Ａ１
【発明の開示】
【発明が解決しようとする課題】
【０００３】
本発明の目的は、一般的な吸入器を発展させることで、特に服用室を、収納室から配分された一回の服用量の粉体物質で充填することに関する。
【課題を解決するための手段】
【０００４】
課題は、請求項１の主題によって真っ先に解決される。それは、服用室が、直線方向の動きに重ねて回転しながら動き、かつその回転軸に対し偏心して配置されることにより解決される。そのような配置の結果により、構造的に単純に、機能的に信頼のある吸入器が達成され、服用室は、直線的な動きに回転する動きが重ねられることにより、単純で信頼のある方法で充填される。
【０００５】
さらに服用室が、回転軸の回りに径方向の空間を空けて回転する動きの過程で、物資のあらかじめ決められた量を分配される方法で収納室に収納された粉体物質が放出されることにより動かされることによってこの解決手段は支持される。収納室から絶えず等量で粉体物質のあらかじめ定められた量を分配する態様で放出することが、結果としてもたらされる。ひとたび服用室をらせん状に移行点に移動すると、前記収納室は、吸引気流に移され、吸入されることへの準備状態になる。
【０００６】
その他の請求項の主題は、以下に請求項１の主題を参照して述べるが、独立した記述もまた重要である。例えば、服用室が平坦部分として形成されたプランジャ式スライド中に形成されることがさらに提案される。より好ましくは、服用室は、平坦部分として形作られたプランジャ式スライドを横断する穴として作られる。プランジャ式スライドが蓋に依存した態様で移動可能であると、従来のやり方で蓋を回すことにより閉じたり開けたりする取り扱いは、同時に服用室を充填し、かつ服用室の移行点への直線的な動きに重ねられた回転する動きを達成するので特に優れていることがわかったのでさらに好ましい。
【０００７】
服用室を円錐の横断する穴で形成することは、特に効果的な手段である。プランジャ式スライドを形成する平坦部分は、断面における辺の比が約１：２から１：５である。平坦部分の端は、突っ込む方向に自由であり、例えば、その先端は、スクリュードライバの翼の態様であってもよい。プランジャ式スライドが平坦部分であることは、収納室に収納された粉体物質の中心領域を回転により緩める効果を奏する、そのことは同時にプランジャ式スライドの突っ込みを粉体の塊に伝えることになる。
【０００８】
服用室から分配された態様で放出された粉体物質の一回の服用量を、移行点において吸引気流に移される前に止めるためには、本発明の主題をさらに発展させ、プランジャ式スライドが収納室の外側においてプランジャ式スライドに対し移動可能な閉鎖プランジャと相互作用することが行なわれる。この閉鎖プランジャは好ましくはプランジャ式スライドに関し、直線的に移動可能で、従って平坦部分の形状をしたプランジャ式スライドが通過することができる。このことは、閉鎖プランジャとプランジャ式スライドを互いに対し回転することのないように配置する更なる理由である。粉体物質の一回の服用量の吸引気流への移動のため、閉鎖プランジャは従って先ず、粉体物質を放出するための服用室を開放する位置へ移動しなければならない。
【０００９】
このことは、好ましくは、減圧された吸引圧力に依存して閉鎖プランジャが服用室を開放する位置に移動することにより行なわれる。必要な減圧された吸引圧力は、吸引過程において働く。この目的のため、患者は唇を吸入器のマウスピースの周りに慣れた態様で置き、吸入により吸引気流路の吸引気流に到達できるようにする。こうして自動的に形成された減圧された吸引圧力は、閉鎖プランジャを開放位置に移動させ、その結果服用室を空にし、かつ一回の服用量を吸引気流に移動させるのに十分なものである。閉鎖プランジャが配置される方法は、吸引まで、すなわち吸引流への移動まで、配分された態様で放出された部分的な量を、服用室へ供給することを確実にする。
【００１０】
服用室の開放及び開口は、慣用的な扱いにより自動的に行なわれる。粉体物質の分配または吸引気中の粉体物質の分配された一回の服用量をさらに改善するためには、いわゆる分散領域、すなわち流れの方向を向いている移動領域の気流が、服用室の上方において、吸引気流路が径方向外向きに逸れることが有効である。従って、吸引気流に移動した粉体物質の一回の服用量が流れる前に、逸れることにもなり、この径方向外向きに逸れた気流は環状空間に似たマウスピースの領域の排気口部分につながる。従って、粉体物質は、マウスピースをその頂上から見下ろしたときに、環の形で流れる。プランジャ式スライド自体が気流の逸れを生じさせることも提案される。例えば、プランジャ式スライドが服用室を有する平坦部分に面していない端の領域で、つまり、マウスピースの方向の端で、環状のディスク形状をとることにより、移行点において吸引気流路の径方向外向きの逸れを生じさせる。
【発明を実施するための最良の形態】
【００１１】
吸入器１を図を用いて説明すると、短いスティック形状の便利な携帯用のポケットサイズの装置であり、段になった円筒型のハウジング２を備えている。
【００１２】
円筒型のハウジング２は、小さい管の形状で、吸入器１の上端から、吸入器に備えられているマウスピース３に至る。マウスピース３は口に適するように平坦化され、カップの形状をした蓋４が、保護するためにその上を覆っている。蓋４は、ねじ蓋であり、この目的のためにねじ蓋に備えられた内向きのスレッド５は、ハウジング２の側面の外向きのスレッド６と対応し、かみ合う。マウスピース３が備えられている領域には、蓋４の外側のスリーブ壁にクリップ７が一体的に形成されている。
【００１３】
下端において、カップの形状をした蓋４の端は、円筒型のハウジング２の前述の段により形成される環状の肩８に突き当たり、そこで停止し、封止する効果を奏する。
【００１４】
蓋４は、再生できる一回の服用量１０’にあたる粉体物質１０を運ぶための作動ハンドル９の役割も果たす。この目的のために軸方向にねじが締められることにより、スレッド５と６がかみ合う。粉体物質１０はハウジング２の収納室１１に収納され、任意に詰め替え可能である。服用装置は、それぞれの場合に、一回の服用量１０’を収納室１１の外にある移行点Ｕまで運び、全体としてＤによって定められる。
【００１５】
服用される粉体物質に関しては、薬用上のものであり、粉体物質１０である。例えば、ラクトースのような基本物質は、吸引気流により運ばれることができ、その表面に薬剤の微粒子をくっつけ運ぶためのものとして働くことができる。
【００１６】
服用装置Ｄの下方向に、いわゆる分散領域があり、使用者は吸引気流Ｓを生じさせる。そして、移行点Ｕにおいて粉体物質１０の一回の服用量１０’の正確な分配量を完全に運び去る。マスターピース３の吸引気流路は、１２の数字をつけて表されている。
【００１７】
収納室１１の低い方の端は、カップの形状をした圧力を及ぼす基部１３が形成される。基部１３は圧縮バネ１４により、マスターピース３の方向にバネ荷重されている。圧縮バネ１４は、ハウジング２を閉鎖する基底蓋１５の裏側の底によって支持されている。前記基底蓋１５はハウジング２の環状の溝にかみ合う掛け環１６を有し、断面が広くなっているハウジング２の一部と掛け合わされている。
【００１８】
圧縮応力をかけられた圧縮バネ１４の先端は、基部１３と中空ピストン１８からなるピストンの形状をした装置の中空ピストン１８の内部肩１７に載せられた状態で働く。複数の図を参照すると、段になったカップの形状をした圧力を及ぼす基部１３は、中空ピストン１８の内部肩１７に掛け合わされた態様で結合している。
【００１９】
圧力を及ぼす基部１３のカップの縁は、環状の縁１９を備える。環状の縁１９は、ゴム製なので、収納室１１の壁を粉体物質を全く損なうことなく拭い去る。
【００２０】
基底蓋１５から中心方向に中空立栓２０が延びる。空間を開けて囲んでいる中空ピストン１８とともに、中空立栓２０は圧縮バネ１４のためのバネ室２１を形成する。
【００２１】
マウスピースの端において、収納室１１は、カップ形状の回転式の部分２２によって終了する。回転式の部分２２は、カップの底によりハウジング２とかみ合う収納室１１の頂上２３を形成する。
【００２２】
誘導開口２４が頂上２３の中央にある。この間接的に又は直接的に形成された誘導開口２４は、服用装置Ｄの主要な部品であるプランジャ式スライド２５を受ける。その結果、適切に構成され、前記プランジャ式スライド２５は移動式服用室２６として、一回の服用量１０’を持ち上げるように働く。プランジャ式スライド２５の動きは、吸入器１の回転対称に構成された縦方向の中心軸ｘ−ｘに沿って直線的に行なわれ、重ねて縦方向の中心軸ｘ−ｘの回りを回転する。プランジャ式スライド２５は長方形の断面を有する実質的に平面に形つくられている。実施例における短辺対長辺の比は、約１：３である。
【００２３】
マウスピース３から離れた端において、プランジャ式スライド２５はスクリュードライバの翼に似た先端を形成する。２つの鏡対称の斜めの側面は、プランジャ式スライド２５のそれぞれの長辺から延びる。斜めの側面から形成される自由端は、とがっていない。
【００２４】
プランジャ式スライド２５の共同の回転により、プランジャ式スライド２５の断面の構成及び自由端の領域の先端は、紛体物質１０の塊に対し中央の領域で緩める効果を有する。
【００２５】
服用室２６の１回の突っ込みは、前記誘導開口２４を超え、直線方向の動きに重ねて回転する動きが加えられ、プランジャ式スライド２５の両端において誘導開口２４の断面がドクター−ブレード又は拭き去る効果をもって閉じられた状態に保たれるようにし、服用室を満たす。
【００２６】
マウスピース３のための蓋４の端は、プランジャ式スライド２５と蓋４の間に、負荷がかかりすぎると外れる結合点２８を形成する。この場合、蓋４の掛け金手段は、跳ね返って逸れることのできる環状のフックである。プランジャ式スライド２５の対応する端は、断面において回転対称の態様であり、ディスク形状の径方向の環２９が、平坦な部分から中空の端の部分までの間に位置する。平坦部分に面していないプランジャ式スライド２５の端の領域は、ディスク形状の径方向の環２９とは軸方向に間隔をあけ、掛け金ヘッド３０を形成する。前記掛け金ヘッド３０とディスク形状の径方向の環２９の間に細いくびれのような環状の溝３１が形成されている。環状のフックの弾力性のある舌の内部へ向かう突起３２は、前記環状の溝３１と掛かる。掛け金ヘッド３０は、突起３２によりどちらの方向にも越えることができる。
【００２７】
突起３２又は弾力性のある舌は、マウスピースの開口３’の中心に突き出し、蓋４に定着し、その頂上の内側から延びる小さい管３３にあることがわかる。
【００２８】
マウスピース３は、側面壁３４を通じてハウジング２の首に固定されている。図を参照すると、２つの部分２と３の間の掛け合わせ点３５により、回転部分の頂上２３の底に固定されている。掛け合わせ点３５は、不可逆であってもよい。さらに、回転式の部分２２の頂上２３は、側面壁３４の環状肩３６に支持されてかみ合わされている。
【００２９】
マウスピース３の中心の開口３’は、カップの形状をした分散部分３７の領域に形成され、逆の位置で配置される。このことは分散部分の底３８の中心を通過することにより達成される。分散部分３７は、回転式の部分２２の方向に開口していて、カップの壁３９を有し、回転式の部分２２のカップの壁４０の外径に対応する外径を有する。カップの形状の回転式の部分２２とカップの形状の分散部分３７は、開口を通じて向かい合い、分散部分３７は、回転式の部分２２のカップの壁４０の環状の縁と関連付けられた自由環状縁によって支えられている。
【００３０】
カップの壁３９および４０はいずれも側面壁３４の内壁に対し径方向内側に間隔を空けている。従って、環状空間４１が、回転式の部分２２の周りと分散部分３７の周りにそれぞれ存在する。
【００３１】
分散部分３７のカップの壁３９の内径は、プランジャ式スライド２５のディスク形状のディスク形状の径方向の環２９の外径に合わせられている。後者は、従って、カップの形状の分散部分３７の直線方向への誘導を受ける。
【００３２】
各々の開口端域に向けて、回転式の部分２２と分散部分３７のカップは径方向外向きに拡がり、それと同時にカップの壁３９および４０はそれぞれ薄くなる。この構成の結果、径方向に拡がるオーバーフロー領域４２が得られる。
【００３３】
分散部分３７のカップの底３８からプランジャ式スライド２５のディスク形状の径方向の環２９の材質の厚さの分の空間を空けて、径方向の通路４３が、カップの壁３９に設けられ、カップの内側の空間を周辺の環状空間４１と結びつける。図に示すように、２つの反対向きの通路４３が設けられる。二者択一的に、一方の周辺の通路が支持繊維によって中断されていてもよい。
【００３４】
環状の排出空間４４が、分散部分３７のカップの底３８を囲み、カップの壁３９上で径方向外側に突き出している封止環４５によって軸方向の延長として延長されている環状空間４１と離れている。封止環４５は、側面壁３４の内側によって支持されている。この構成の結果、中心の軸から環状の排気空間４４の軸への径方向外向きとなる吸引気流路１２の逸れが達成される。
【００３５】
カップの壁３９および４０における領域の回転式の部分２２及び分散部分３７の軸方向の長さは、プランジャ式スライド２５が収納室１１中の充填平面を出て頂上２３の移行点Ｕへ突き刺して粉体を引き込むことが確実にできるよう選択される。
【００３６】
服用室２６が準備状態から空状態となる位置は、分散部分３７のカップの底３８に接触したプランジャ式スライド２５のディスク形状の径方向の環２９の領域を延長止めすることによって定められる。
【００３７】
服用室２６は、縦の中心軸ｘ−ｘに関し垂直な横方向の穴であることがわかる。
【００３８】
縦の中心軸ｘ−ｘは、同時に回転軸を形成する。服用室２６は、この回転軸に対し偏心して配置される、そしてさらに平坦部分として形作られたプランジャ式スライド２５の広い面を通過する。特に図２を参照すると、服用室２６は、プランジャ式スライド２５の広い表面の側辺と結び付けられ、自由端からは間隔を開けて配置されている。
【００３９】
図４の準備状態から空状態となる位置において、服用室２６は中心の吸引気流Ｓの活性な領域にある。吸引気流路１２と接続し、回転式の部分２２のカップの壁４０に形成された気流通路４６は、服用室２６と結び付いている。前記気流通路４６は、頂上２３の上側に軸方向に空間を開けてカップ形状の回転式の部分２２の底の近くに延びた径方向の穴を有する。
【００４０】
そのような気流通路４６は、上流へ向けて設けられ、服用室２６の両端から径方向に空間を開けている。この結合を予防するには、円錐形の横の穴として形成された服用室２６の直径のより大きな端とそのより大きい直径の端よりも小さな直径の気流通路４６が結合し、服用室２６のより小さな直径の端とそのより小さな直径の端よりも大きい直径の気流通路４６が結合していることである。こうして、より小さな直径の気流通路４６の下流への一回の服用量１０’に対し有力な排出効果を有する非常に減ぜられた圧力が生じる。それにもかかわらず、前記排出、すなわち服用室２６を空にすることは、どちらの端でもおこなわれる。気流通路４６の解決方法は、図に示すように同じ直径にすることである。
【００４１】
気流通路４６は、プランジャ式スライド２５を誘導するカップ形状の回転式の部分２２上に形成され、環状の流入空間４７の後部により径方向に配置された空気口４８と流通している。前記空気口４８は、穴として構成され、大気とのつながりを代表する。環状の流入空間４７は、カップ形状の回転式の部分２２のカップの壁４０の外側でマウスピース３の側面壁３４の内側にあり、環状空間４１の軸方向の延長として作られている。段状の、径方向に外側に突き出す封止環４９は、側面壁３４の内側に支持されながら、その端が分散部分３７のカップの開口の方向を向いていて、互いに環状空間を分離する役割と、分散部分３７に径方向の直線上に並ぶ役割を果たす。封止環４９及び分散部分３７の封止環４５は、空気口４８とマウスピース３の領域の環状の排出空間４４の間に側流が生じることを防止する。
【００４２】
気流通路４６は、空気口４８に対し軸方向に補正されて配置され、後者は、マウスピースに対して閉じるものに位置する。述べられた空間の隔たりにより、吸引された流れの続きは、初めは主たる吸引気流Ｓと反対方向の流入となる。
【００４３】
プランジャ式スライド２５のための誘導開口２４は、拭き去る効果を有するように形成される。その結果として、プランジャ式スライドの側面の表面についた誤った用量を取り込むことはない。誘導開口２４は、回転式の部分２２によって直接形成されているのではない、しかし、封止軸受け５０がこの通路を形成する。前記封止軸受けは、ゴム製であり、掛ける手段により頂上２３に掛けいれられ保持されている。
【００４４】
回転式の部分２２とハウジング２の間に、収納室１１が設けられているが、同様に封止要素を有する。封止は、ゴム製の封止リングが収納室１１の内壁と回転式の部分２２の間に挿入されることで達成される。前記封止リングは、ハウジング２と回転式の部分２２の両方の環状の溝にあらかじめ負荷を与えておくことにより適合する。環状の溝の縁のいずれも、封止リング５１に適合し、半円の断面の構成を有する。封止リングの対応する領域は、溝に対応する形状となっている。
【００４５】
封止軸受け５０は、回転式の部分２２に回転中も固定されている。誘導開口２４は、プランジャ式スライド２５の断面の形状に適合するように形成され、長方形が延ばされた様であり、この確実なかみ合わせにより、プランジャ式スライド２５もまた、回転中も回転式の部分２２に固定されている。
【００４６】
閉鎖プランジャ５２はプランジャ式スライド２５と相互作用し、閉鎖プランジャ５２はプランジャ式スライドに関し、収納室１１の外側を動くことができる。前記閉鎖プランジャは、ゴム素材からなり、プランジャ式スライド２５の平坦部分が中心を通過する、この目的のために、閉鎖プランジャ５２は、適合する軸受け開口５３を有する。軸受け開口５３は、図に長方形の延ばされた形状で描かれている、この軸受け開口５３は、プランジャ式スライド２５の平坦部分の断面方向に関し、僅かに広げられている、その結果、プランジャ式スライド２５上での閉鎖プランジャ５２の低摩擦移動が行なわれる。
【００４７】
閉鎖プランジャ５２は、径方向外側に封止リップ５４の縁を有し、封止リップ５４は、図４における準備状態から移動状態となる位置においては、回転式の部分２２のカップの壁４０の内壁と相互作用しており、この相互作用は、収納室１１に対し気流通路４６の上方である。
【００４８】
この準備状態から移動状態となる位置において、閉鎖プランジャ５２は、吸引気流路１２中に塞ぐ状態で位置し、そのとき服用室２６の粉体物質１０の一回の服用量１０’が両端で封止を解かれる。もし吸入器１が活性化された後、すなわち、プランジャ式スライド２５が服用室２６が満たされた状態で準備状態から移動状態となる位置に移動された後に、置かれても、閉鎖プランジャ５２の配置方法の結果により服用室２６から配分された量の損失を伴わない。閉鎖プランジャ５２は、自己ロック態様である。
【００４９】
閉鎖プランジャ５２の移動は、ゆっくりとしか行なうことができない、最も簡単には吸引気流Ｓを活性化することにより、すなわち、通例の吸入における吸い込みにより行なわれる。吸い込みにより減ぜられた圧力により、閉鎖プランジャ５２はプランジャ式スライド２５の平坦な部分を有する部位に沿って上方へと軸方向に移動し、服用室２６が両端で開放される。閉鎖プランジャ５２は、径方向に広げられたオーバ−フロー領域４２に移動し、この軸方向の移動は制限停止されている。この目的を達成するため、軸方向に一直線になって停止ウェブ５５が存在している。停止ウェブ５５は、分散部分３７のカップの壁３９の内壁から内側に径方向に延びており、それに接触して閉鎖プランジャ５２の環状の封止リップ５４が塞ぐように突き刺す。停止ウェブ５５の径方向の空間は、互いに分散部分３７の誘導断面に対応し、その結果として、プランジャ式スライド２５のディスク形状の径方向の環２９の外形に対応する。
【００５０】
吸入の過程において、図５に示すように、流体はマウスピース３のオーバーフロー領域４２にある閉鎖プランジャ５２の回りを通過する。
【００５１】
収納室１１が空になったことが伝わると、引っ込んだ領域で粉体物質１０を準備状態に保つことになる。緩められた周囲の領域から粉体物質が供給がされ、服用室２６を等しく又は均質に満たすことを確実にするよう条件が整えられる。回転式の部分２２は、特にこの目的のために用いられる。回転式の部分２２は、収納室１１の上方領域で働くローターＲを有する。回転式の部分２２の回転を用いて、収納された粉体物質が緩められる。ローター翼５６は小シャベルを形成する。このことに関して、２つのローター翼５６が吸入器１の長い中心軸ｘ−ｘに関し正反対の位置に位置するよう備えられていてもよい。収納室側の回転式の部分２２の底又は頂上２３から突き出して自由に延びるローター翼５６は、円周方向に十分な空間が空くように正反対の位置に位置する。幾何学的に、ローター翼５６は、収納室１１の円形の断面の扇形部分を占める。
【００５２】
平坦部分の形状をしたプランジャ式スライド２５との相互作用で、ローター翼５６の配置される方法は常に、周囲の領域の粉体物質を緩める。さらに、服用室２６がプランジャ式スライド２５の回転軸に対し偏心して配置されるので、粉体物質の塊にらせん状に突っ込むことにより最適の充填が行なわれる。
【００５３】
マウスピース３と蓋４が共同して回転し、ねじを緩めることにより蓋４を外すことは、マウスピース３と蓋４の間のつめ結合５７によって行なわれる。つめ結合は、マウスピース３の側面壁３４の長い歯５８を有し、長い歯５８は、蓋４の内側の対応する割れ目５９とかみ合う。
【００５４】
蓋４がねじを緩めることにより外すときに、つめ結合５７は、回転式の部分２２とそれに同調する部分、例えば封止軸受け５０、閉鎖プランジャ５２及びプランジャ式スライド２５の共同した回転を生ずる。蓋４のねじを緩めることにより外すことによりもたらされるプランジャ式スライド２５の軸方向の移動は、さらに結合点２８によってももたらされ、この軸方向の移動は、服用室２６の移行点Ｕすなわち、図４に示された準備状態から移動状態への位置となるねじ締め様移動をもたらす。
【００５５】
プランジャ式スライド２５の直線方向の移動の過程において、閉鎖プランジャ５２は、閉塞位置にあり続け、回転式の部分２２の頂上２３で自身を支える。
【００５６】
中空立栓２０は、ハウジング２の基底蓋１５に根ざし、スクリーン様のカバー６０で端が閉じられている。その結果生じた区切られた空間において、吸湿性物質が保持される。
【００５７】
プランジャ式スライド２５は、服用室２６の体積に対して変えることができる。このために必要なのは、基本的な構成部分である服用装置Ｄすなわちプランジャ式スライド２５を交換することであり、一回の服用量１０’の異なった量を正確に再生する。
【００５８】
圧力を及ぼす基部１３は、プランジャの態様で働き、ハウジング２の中心部分に備えられた円筒空間に関し動く能力を損なうことがない、なぜなら、ハウジング２は、環状の縁１９の背面にある空気を均一にする開口６２を有するからである。
【００５９】
カップ形状の圧力を及ぼす基部１３は、収納室１１と離れた方向に、中心にぎざぎざを有する。基部１３の内側の深さは、プランジャ式スライド２５の端が基本位置にあるローター翼５６を超えて軸方向に突き刺したときにその中に収容される深さである。
【００６０】
開示した特徴の全ては、本発明と関連する。優先権証明書（先の出願の写し）に記載された事項もまた、出願の請求の範囲に特徴を盛り込む目的で、完全に本出願の開示に盛り込まれている。
【図面の簡単な説明】
【００６１】
以下に図を用いて本発明を詳細に説明する。図は、単に例示の態様にすぎない。
【図１】本発明の吸入器の側面図である。拡大され、蓋を閉じた状態の基本位置である。
【図２】本発明の吸入器の垂直方向の断面である。
【図３】図２の一部を拡大し、服用装置を表したものである。
【図４】図２に準じた断面図であるが、蓋が取り去られ、その結果として服用室の準備状態から移動状態となる位置への移動がされている。
【図５】図４に対応する断面図であるが、吸引過程の位置を表している。
【図６】服用室を有するプランジャ式スライドの正面図である。
【図７】プランジャ式スライドの側面図である。
【図８】プランジャ式スライドを閉鎖プランジャと封止軸受けとともに表す透視図である。
【図１】
2008510543.tif 000003
【図２】
2008510543.tif 000004
【図３】
2008510543.tif 000005
【図４】
2008510543.tif 000006
【図５】
2008510543.tif 000007
【図６】
2008510543.tif 000008
【図７】
2008510543.tif 000009
【図８】
2008510543.tif 000010
【国際調査報告】
2008510543.tif 000011
2008510543.tif 000012
2008510543.tif 000013
2008510543.tif 000014
2008510543.tif 000015
2008510543.tif 000016